【手続補正書】
【提出日】平成18年11月14日(2006.11.14)
【手続補正１】
【補正対象書類名】特許請求の範囲
【補正対象項目名】全文
【補正方法】変更
【補正の内容】
【特許請求の範囲】
【請求項１】
食物を収容する加熱室と、前記食物を上部から加熱する上ヒータと、前記加熱室内の空気を攪拌する循環ファンと、前記加熱室内の空気を加熱する後ろヒータと、前記循環ファン及び前記後ろヒータを収納する循環ファン室と、前記加熱室が固定される底板と、前記底板に設けた水を溜める水溜め部と、前記循環ファン室と前記加熱室とを仕切る仕切板を備え、前記仕切り板に、前記循環ファン室と前記加熱室とを連通する通風孔を設け、前記仕切り板はそのフランジを前記加熱室と逆方向に曲げてその先端を上へ曲げた形状とするとともに、前記底板に一部接触させないで固定したうえで前記水溜め部の壁面を前記仕切り板より前記熱室側に設けたことを特徴とする加熱調理器。
【請求項２】
底板に固定される仕切り板のフランジにおいて底板と固定される面に穴を設けた請求項１に記載の加熱調理器。
【手続補正２】
【補正対象書類名】明細書
【補正対象項目名】全文
【補正方法】変更
【補正の内容】
【発明の詳細な説明】
【発明の名称】加熱調理器
【技術分野】
【０００１】
本発明は食物をヒータや高周波により加熱する加熱調理器において加熱室内に滞留する水処理と加熱室加工性容易化に関するものである。
【背景技術】
【０００２】
従来、この種の加熱調理器は調理時に発生する蒸気が扉に結露する少量の水量を水受け部にためるようになっている（例えば、特許文献１参照）。
【０００３】
図６は、特許文献１に記載された従来の加熱調理器を示すものである。図６に示すように、加熱室２と、扉部３と、水滴受け部９とから構成されている。
【特許文献１】実開平０３−１１５３１８号公報
【発明の開示】
【発明が解決しようとする課題】
【０００４】
しかしながら、前記従来の構成では、加熱調理器が調理時に発生する蒸気が扉に結露する少量の水量に対応しようとし、かつ扉が設けられている前部に漏水する結露水のみに配慮しているので、使用者が水をこぼしたときなどの大量の水こぼれに対応できてない。
【０００５】
また、加熱室後面からの漏水には配慮されおらず一旦製品内部に浸水すれば水の行方が特定できないため製品外に容易に出てしまう。
【０００６】
また、加熱室を構成する仕切り板などの各壁面は各々がスポット溶接やカシメ等の工法で隙間なく固着されており、仮に加熱室内に大量の水こぼれが発生しても固着部からの水こぼれはほとんどない。反面、循環ファン室を加熱室に固定する場合には、ヒータ交換などの部品交換に配慮しビス締めとなっているため、加熱室に大量の水こぼれが発生した場合、循環ファン室と加熱室の接合面から加熱室外部に水がもれてしまうという課題を有していた。
【０００７】
本発明は、前記従来の課題を解決するもので、加熱室に使用者が水をこぼしたときに、加熱室後面からの漏水を確実に処理し床面への滴下による床面の汚れを防止する加熱調理器を提供することを目的とする。
【０００８】
本発明は、前記従来の課題を解決するもので、加熱室内の水漏れを容易に加熱室外に排出するが、製品外には漏らさない加熱調理器を提供することを目的とする。
【課題を解決するための手段】
【０００９】
前記従来の課題を解決するために、本発明の加熱調理器は、食物を収容する加熱室と、前記食物を上部から加熱する上ヒータと、前記加熱室内の空気を攪拌する循環ファンと、前記加熱室内の空気を加熱する後ろヒータと、前記循環ファン及び前記後ろヒータを収納する循環ファン室と、前記加熱室が固定される底板と、前記底板に設けた水を溜める水溜め部と、前記循環ファン室と前記加熱室とを仕切る仕切板を備え、前記仕切り板に、前記循環ファン室と前記加熱室とを連通する通風孔を設け、前記仕切り板はそのフランジを前記加熱室と逆方向に曲げてその先端を上へ曲げた形状とするとともに、前記底板に一部接触させないで固定したうえで前記水溜め部の壁面を前記仕切り板より前記熱室側に設けた構成としてある。
【００１０】
これによって、加熱室の滞留水分は通風孔からフランジを通り底板の水溜め部に滞留させることができる。
【発明の効果】
【００１１】
本発明の加熱調理器は、加熱室の内部に滞留した水分を加熱室の加熱室外に排出し、排出した水を底板の水溜部に滞留させるようにすることで、製品外に水が漏れることなく製品の設置場所をよごすことがなくなり清潔さを維持することができる。
【発明を実施するための最良の形態】
【００１２】
第１の発明は、食物を収容する加熱室と、前記食物を上部から加熱する上ヒータと、前記加熱室内の空気を攪拌する循環ファンと、前記加熱室内の空気を加熱する後ろヒータと、前記循環ファン及び前記後ろヒータを収納する循環ファン室と、前記加熱室が固定される底板と、前記底板に設けた水を溜める水溜め部と、前記循環ファン室と前記加熱室とを仕切る仕切板を備え、前記仕切り板に、前記循環ファン室と前記加熱室とを連通する通風孔を設け、前記仕切り板はそのフランジを前記加熱室と逆方向に曲げてその先端を上へ曲げた形状とするとともに、前記底板に一部接触させないで固定したうえで前記水溜め部の壁面を前記仕切り板より前記熱室側に設けた構成としてあり、加熱室の滞留水分を加熱室外に排出することで加熱室内部に使用者が水をこぼして滞留させても、通風孔からフランジを通って漏れた水を底板の水溜め部に導き、製品外部に漏水させず設置場所を清潔に保つこができる。
【００１３】
第２の発明は、特に、第１の発明の加熱調理器の仕切り板のフランジにおいて底板と固定される面に穴を設けることで一度に大量の漏水が生じても穴がバイパスの役割を果たし確実に底板にためることで、加熱室にならびに循環室の水分を即時に除去し後ろヒータ等が高湿度の状態にさらされることがなくなるので製品の信頼性が向上する。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における加熱調理器の主要部品の斜視図を示し、図２は要部断面図を示すものである。
【００１６】
図１・図２において、この加熱調理器は、食物を収容する加熱室１１と、食物を上部から加熱する上ヒータ１２と、加熱室内の空気を攪拌する循環ファン１３と、加熱室内の空気を加熱する後ろヒータ１４と、循環ファン１３と後ろヒータ１４を収納する循環ファン室１７と、製品状態で下部を構成し加熱室１１が固定される底板１８とを有している。そして、底板１８には水を溜める水溜め部１９が設けてあり、また、循環ファン室１７と加熱室１１は、仕切板２０を介して仕切られている。上記仕切り板２０は、循環ファン室１７と加熱室１１とを連通する通風孔２１を備え、仕切り板２０のフランジ２２を加熱室１１と逆方向に曲げると共に、その先端を上へ曲げた形状としたうえ、底板１８に一部接触させないで固定したうえで水溜め部１９の壁面２４を仕切り板２０より加熱室１１側に設けた構成としてある。
【００１７】
以上のように構成された加熱調理器について、以下その動作、作用を説明する。
【００１８】
まず、加熱室１１内部に使用者が水をこぼして滞留させても、漏れた水は通風孔２１と仕切り板２０のフランジ２２を介して加熱室１１外に排出され、底板１８の水溜め部１９に導くことができる。
【００１９】
以上のように、本実施の形態においては仕切り板２０のフランジ２２を加熱室と逆方向に曲げると共に、先端を曲げた形状としたうえ、底板１８に一部接触させないで固定するようにしたうえで水溜め部１９の壁面２４を仕切り板２０より加熱室側１１側に設けることにより、加熱室１１の滞留水分を通風孔２１からフランジ２２を通り底板１８の水溜め部１９に滞留させることにより、製品外部への漏水をなくして、設置場所を汚すことなく清潔さが確保できる。
【００２０】
また、本実施の形態では図３に示すように加熱室１１の上部には上ヒータ１２の構成品が設けられているため、加熱室１１と仕切り板２０を固定するときに仕切り板２０のフランジ２２が邪魔にならず加工に十分な空間を確保できるため仕切り板２０と加熱室１１の固定のための治具２５が容易に設定できるので加工上容易かつ固定の信頼性向上が可能となり、加熱室１１の内部から熱風がもれず調理性能の安定が図れると共にもれた熱風が製品内部の各構成部品に悪影響を及ぼすことなく製品の信頼性向上が行える。
【００２１】
（実施の形態２）
図４は、本発明の第２の実施の形態における加熱調理器の主要部品の断面図を示すものである。
【００２２】
図４において、仕切り板３１のフランジ３２において底板３３と固定される面に穴３４を設けるものである。
【００２３】
以上のように構成された加熱調理器について、以下その動作、作用を説明する。
【００２４】
まず、仕切り板３１のフランジ３２において底板３３と固定される面に穴３４を設けることで一度に大量の漏水が生じても穴３４がバイパスの役割を果たし確実に底板３３の水溜め部３５に漏水をためることができる。
【００２５】
以上のように、本実施の形態においては仕切り板３１のフランジ３２において底板３３と固定される面に穴３４を設けることで一度に大量の漏水が生じても穴３４がバイパスの役割を果たし確実に底板にためることで、加熱室１１の水分が除去され、後ろヒータ１６等が高湿度の状態にさらされることがなくなるので製品の信頼性が向上する。
【００２６】
（実施の形態３）
図５は、本発明の第３の実施の形態における加熱調理器の主要部品の断面図を示すものである。
【００２７】
図５において、調理器の底板４６に固定される仕切り板４７のフランジ４８において固定される面に突き出し穴４９を設けるものである。
【００２８】
以上のように構成された加熱調理器について、以下その動作、作用を説明する。
【００２９】
まず、調理器の底板４６に固定される仕切り板４７のフランジ４８において固定される面に突き出し穴４９を設けることで、突き出し穴４９の周囲のフランジが水を滴下させるときのガイドの役割を果たすことになる。
【００３０】
以上のように、本実施の形態においては調理器の底板４６に固定される仕切り板４７のフランジ４８において固定される面に周囲がフランジにて形成された穴４９を設けることで、突き出し穴４９の周囲のフランジが水を導くガイドの役割を果たすことにより漏水を底板４６の水溜め部５０により確実に保水できることとなり、加熱室１１外に設置された電気部品に水分がかかることがなくなり安全面で有利である。
【産業上の利用可能性】
【００３１】
以上のように、本発明にかかる加熱調理器は、加熱室の滞留水分を加熱室外に排出することで加熱室内部に使用者が水をこぼして滞留させても、通風孔からフランジを通って漏れた水を底板の水溜め部に導き、製品外部に漏水させず設置場所を清潔に保つこができ、炊飯器等の用途にも適用できる。
【図面の簡単な説明】
【００３２】
【図１】本発明の実施の形態１における加熱調理器の主要部品の斜視図
【図２】本発明の実施の形態１における加熱調理器の要部断面図
【図３】本発明の実施の形態１における加熱調理器加工時の要部断面図
【図４】本発明の実施の形態２における加熱調理器の要部断面図
【図５】本発明の実施の形態３における加熱調理器の要部断面図
【図６】従来の加熱調理器の要部断面図
【符号の説明】
【００３３】
１１  加熱室
１２  上ヒータ
１３  循環ファン
１４  後ろヒータ
１７  循環ファン室
１８、３３、４６  底板
１９、３５  水溜部
２０、３１、４７  仕切り板
２１  通風孔
２２、３２、４８  フランジ
２４  壁面
２５  治具
３４  穴
４９  突き出し穴
【手続補正３】
【補正対象書類名】図面
【補正対象項目名】全図
【補正方法】変更
【補正の内容】
【図１】
2005155925.tif 000001
【図２】
2005155925.tif 000002
【図３】
2005155925.tif 000003
【図４】
2005155925.tif 000004
【図５】
2005155925.tif 000005
【図６】
2005155925.tif 000006